(57)【特許請求の範囲】
【請求項１】
裏面を木管楽器のカップ（１）の内側に装着し表面でトーンホール（２）を開閉するためのパッド（３）において、中央には穴（４）が形成されフラットな表面の外周部分にはトーンホール（２）よりも大きな内径を有する立ち上がり壁部（５）が形成され表面の立ち上がり壁部（５）の内側には立ち上がり壁部（５）の内径と同じ外径とトーンホール（２）よりも小さい内径とを有する輪状凹部（６）が形成されフラットな裏面の内周部分には輪状凸部（７）が形成された円盤型の金属ベース（８）と、中央には金属ベース（８）の穴（４）と同じ直径の穴（４）が形成され外径は立ち上がり壁部（５）の内径とほぼ等しく裏面は金属ベース（８）の表面を覆って密着し輪状凹部（６）に空間部（９）を形成するよう金属ベース（８）の内側に挿入された弾性を有するフラットな円盤型の樹脂板（１０）と、中央には樹脂板（１０）の穴（４）と同じ直径の穴（４）が形成され外径は立ち上がり壁部（５）の内径とほぼ等しく裏面は樹脂板（１０）の表面に密着して金属ベース（８）の内側に挿入された円盤型のフェルト状繊維体（１１）と、中央には輪状凸部（７）の外径と同じ内径の穴（４）が形成され外径は金属ベース（８）の外径とほぼ等しく表面は穴（４）を輪状凸部（７）に固定した状態で金属ベース（８）の裏面に密着された円盤型の台紙（１２）と、中央には繊維体（１１）の穴（４）とほぼ同じ直径の穴（４）が形成され繊維体（１１）と樹脂板（１０）と金属ベース（８）と台紙（１２）とが一体となったものを表面から包み込んで張力を平均に保って台紙（１２）の裏面に糊付けされたパッドスキン（１３）とから構成され、前記立ち上がり壁部（５）は樹脂板（１０）と繊維体（１１）の形状を安定させ、前記金属ベース（８）が基礎となってパッド（３）の形状を保持し、前記樹脂板（１０）はトーンホール（２）密閉時の衝撃を吸収してトーンホール（２）上面の形に合わせて変形し、前記輪状凹部（６）の空間部（９）は逃げ空間として樹脂板（１０）の変形を許容し、前記繊維体（１１）は樹脂板（１０）の弾性によってトーンホール（２）上面に押し付けられたパッドスキン（１３）との密閉を完全なものとし、前記輪状凸部（７）は台紙（１２）のセンターを正位置で維持し、前記パッドスキン（１３）は包み込んでいる繊維体（１１）表面と立ち上がり壁部（５）外周側面と貼り付けられている台紙（１２）裏面によって一定の形を保持して張力を平均に保つことを特徴とする木管楽器用パッド。
【請求項２】
裏面を木管楽器のカップ（１）の内側に装着し表面でトーンホール（２）を開閉するためのパッド（３）において、中央には穴（４）が形成されフラットな表面の外周部分にはトーンホール（２）よりも大きな内径を有し下部の内径よりも上部の内径が小さくなるよう内側に傾斜角度が付いた立ち上がり壁部（５）が形成され表面の立ち上がり壁部（５）の内側には立ち上がり壁部（５）の内径と同じ外径とトーンホール（２）よりも小さい内径とを有する輪状凹部（６）が形成されフラットな裏面の内周部分には輪状凸部（７）が形成された円盤型の金属ベース（８）と、中央には金属ベース（８）の穴（４）と同じ直径の穴（４）が形成され外径は立ち上がり壁部（５）の内径とほぼ等しく裏面は金属ベース（８）の表面を覆って密着し輪状凹部（６）に空間部（９）を形成するよう金属ベース（８）の内側に挿入された弾性を有するフラットな円盤型の樹脂板（１０）と、中央には樹脂板（１０）の穴（４）と同じ直径の穴（４）が形成され外径は立ち上がり壁部（５）の内径とほぼ等しく裏面は樹脂板（１０）の表面に密着して金属ベース（８）の内側に挿入された円盤型のフェルト状繊維体（１１）と、中央には輪状凸部（７）の外径と同じ内径の穴（４）が形成され外径は金属ベース（８）の外径とほぼ等しく表面は穴（４）を輪状凸部（７）に固定した状態で金属ベース（８）の裏面に密着された円盤型の台紙（１２）と、中央には繊維体（１１）の穴（４）とほぼ同じ直径の穴（４）が形成され繊維体（１１）と樹脂板（１０）と金属ベース（８）と台紙（１２）とが一体となったものを表面から包み込んで張力を平均に保って台紙（１２）の裏面に糊付けされたパッドスキン（１３）とから構成され、前記立ち上がり壁部（５）は傾斜角度が付いた内側によりホールドする形で樹脂板（１０）と繊維体（１１）の形状を安定させると共に樹脂板（１０）と繊維体（１１）の浮き上がりを防止し、前記金属ベース（８）が基礎となってパッド（３）の形状を保持し、前記樹脂板（１０）はトーンホール（２）密閉時の衝撃を吸収してトーンホール（２）上面の形に合わせて変形し、前記輪状凹部（６）の空間部（９）は逃げ空間として樹脂板（１０）の変形を許容し、前記繊維体（１１）は樹脂板（１０）の弾性によってトーンホール（２）上面に押し付けられたパッドスキン（１３）との密閉を完全なものとし、前記輪状凸部（７）は台紙（１２）のセンターを正位置で維持し、前記パッドスキン（１３）は包み込んでいる繊維体（１１）表面と立ち上がり壁部（５）外周側面と貼り付けられている台紙（１２）裏面によって一定の形を保持して張力を平均に保つことを特徴とする木管楽器用パッド。
【請求項３】
金属ベース（８）のフラットな表面の内周部分に輪状小突起（１４）を有して、パッド（３）のカップ（１）装着時に前記輪状小突起（１４）でパッドワッシャー（１５）裏面にパッド（３）の表面の内周部分を圧迫することによって空気の漏出をカットできることを特徴とする請求項１又は２記載の木管楽器用パッド。
【請求項４】
請求項１、２又は３記載の木管楽器用パッドにおいて、指に伝わるタッチの感触を固くするには輪状凹部（６）の幅（ａ）を狭く形成することにより樹脂板（１０）のたわむ幅を短くして弾力をハードにし、指に伝わるタッチの感触を柔らかくするには輪状凹部（６）の幅（ａ）を広く形成することにより樹脂板（１０）のたわむ幅を長くして弾力をソフトにし、指に伝わるタッチの感触を浅くするには輪状凹部（６）の深さ（ｂ）を浅く形成することにより樹脂板（１０）の空間部（９）への逃げ込みを浅くし、指に伝わるタッチの感触を深くするには輪状凹部（６）の深さ（ｂ）を深く形成することにより樹脂板（１０）の空間部（９）への逃げ込みを深くし、以上のことを特徴とする感触調節法。
【発明の詳細な説明】
【０００１】
【産業上の利用分野】
本発明は、カップの内面に装着してトーンホールを開閉するための木管楽器用パッド及び感触調節法に関するものである。
【０００２】
【従来の技術】
かつての木管楽器は側面に形成された幾つかあるトーンホールの直径がきわめて小さく、両端のトーンホールの距離は指が届くほど短かった（１８００年頃まで）。吹奏者は、トーンホールを直接指で開閉することにより管の長さを変更して音を変えていた。指の腹がトーンホールの形に合わせて変形するので軽いタッチ（圧力）で完璧に密閉することができた。
【０００３】
しかし、その後正確な半音階を奏するためや、より大きな音を求めて、多くの改良を加えられた木管楽器は、やがて徐々に長尺化し、トーンホールの直径は大きく、両端のトーンホールの距離は長くなる傾向をたどって、ようやく現在ある形になった。もはや指で直接にトーンホールを開閉することはできないため、指でレバーを押しテコで力を伝達しカップの内面に装着されたパッドでトーンホールの上面をおさえて開閉する構造がとられている。
【０００４】
多くの試行錯誤の結果、現在標準的に見られるパッド（厚さ約３ｍｍ）は、フェルト２１（厚さ約２ｍｍ）を台紙２２の上に載せ、この上からパッドスキン２３（薄い皮）で包み込み台紙（厚さ約１ｍｍ）に糊づけした構造をしており、中央に穴を有している（図１４参照）。パッドの台紙２２側がカップ２４に装着され、パッドのフェルト２１側がトーンホールを開閉する。
【０００５】
パッドの基本的な装着方法は、カップ２４の内面にパッドを挿入し、パッドの中央の装着用の穴２５にパッドナット２６を入れ、この上からトーンホールより外径が小さいパッドワッシャー２７を装着し、最後にこの上からパッド止めネジ２８でカップ２４に止める。パッドとカップ２４の間には、調整紙２９が詰められている（図１５参照）。
【０００６】
吹奏者の好みに応じて指に伝わるタッチの感触を調節するには、フェルト２１を薄くしたり固いフェルト２１を用いることでタッチの感触を固くし、フェルト２１を厚くしたり柔らかいフェルト２１を用いることでタッチの感触を柔らかくするという方法がとられている。
【０００７】
【発明が解決しようとする課題】
上記した従来の木管楽器用パッド及び感触調節法には次に述べるような問題点があった。
【０００８】
１つは、トーンホールの歪みに対応しきれず隙間ができてしまうことである。木管楽器のトーンホールは本管の側面に一体形成された円筒状の穴であるために、本管が金属製の場合は、トーンホールの上面を完全にフラットに加工することは不可能に近く、どうしても多少の歪みが生じてしまい、本管が木製の場合は木目があり、歪みや木目によってトーンホールの上面には山になる部分と谷になる部分ができてしまい、谷になる部分でパッドが密着せずに隙間が生じる。
【０００９】
１つは、パッドを支えるカップをトーンホールに完全に平行に取付けることは不可能であり、カップはテコの支点を中心とした円運動をするために、パッドの厚さによって、厚いパッドの場合は支点に近い部分が先にトーンホールに接触し、支点より遠い部分に隙間が生じ、薄いパッドの場合は支点から遠い部分が先にトーンホールに接触してしまい、支点に近い部分に隙間が生じてしまう。
【００１０】
１つは、パッドの大部分を占めているフェルトが形を一定に維持できず変形し、パッド自体も変形して復元できなくなるため、トーンホールとの密着性が損なわれることである。フェルトは厚さが約２ｍｍもあるため、その変形は密着性に大きく影響する。フェルトは湿度の影響を受けやすく、湿度が高くなるとフェルトは水分を含み厚くなり、湿度が下がるとフェルトは乾燥して縮む。また、フェルトは吹奏時の圧力により物理的に押し潰されて変形する。変形したフェルトの表面にはへこんだ谷部分と浮き上がった山部分が形成される。パッドが変形し劣化すると、トーンホールの上面を正しく塞げなくなり隙間が生じる。
【００１１】
１つは、パッドとトーンホールの密着性を高めるために、フェルトの弾力性のみによって吹奏者は指のタッチ（圧力）を強めざるを得ないことである。前記したトーンホールの歪みとパッドの変形に対抗して少しでもよい音を出すためには、パッドをトーンホールの上面に強く押さえ付けて塞ぐ必要があった。しかし、速いパッセイジ（音譜群）を演奏する場合には指のタッチを強めることは困難である。しかも、激しく強力なタッチはパッドの変形劣化を早める。木管楽器の吹奏者に本来必要とされる以外の体力やテクニックを強要してきたことも確かである。また、強力なタッチによるパッドとトーンホールの衝突音がノイズ（雑音）になっていた。また、吹奏者にとって指で直接トーンホールを密閉している感覚がパッドから得られるのが理想的であるが、強くカップを押す必要があるため指で直接密閉する感覚がない。
【００１２】
１つは、微量の空気が、パッド表面とパッドワッシャー裏面の隙間から入って、パッドの穴とパッドナットの隙間を抜け、パッド裏面から外周側面とカップ（調整台紙も含む）の隙間を通って外に漏出することである。これも音色悪化の要因になっている。
【００１３】
１つは、フェルトと台紙が固定されていないため台紙がセンターからずれることである。パッドスキンの張力に偏りが生じ、パッドの形を正しく保つことができなくなり、変形して隙間が生じる。
【００１４】
１つは、パッド装着の圧力が均一でないことである。パッドワッシャーの圧力でパッドの中央付近たけがカップに強く圧迫されて装着されている。パッドの材質であるフェルトと台紙は硬くないので、パッドワッシャーの圧力はパッドの中央付近に集中し、パッドの周辺付近で弱くなる。圧力の偏りでパッドがたわみ周辺付近が歪むため、トーンホールと隙間があいて密閉できなくなる。
【００１５】
１つは、空気漏出し正確な音色が出せなくなることである。パットでトーンホールを完璧に密閉しなければ正確な音色を出すことはできない。従来のパッドでは隙間を完璧に密閉できず、正確な音色を吹奏することは困難であった。
【００１６】
１つは、カップの内面に調整紙を入れて凹凸をつけ、その上にパッドを装着することにより、パッドの表面に出る凹凸を微調整する作業が定期的に必要なことである。作業は、トーンホールの引っ込んだ部分に当るカップの内面に厚さが約１００分の数ｍｍの調整紙片を入れてパッド表面に凹凸部をつける。熟練と時間を要する作業である。この微調整によりトーンホールを密閉できるようになるが、前記した各理由によりパッドの変形劣化がして隙間ができるようになる。ひどい場合は、微調整作業をして１度吹奏しただけ正確な音色がでなくなることすらある。
【００１７】
１つは、タッチの感触を調節する作業には熟練を必要とし、しかも、厚く柔らかいフェルトは変形の度合が大きくなり、薄く固いフェルトは密閉性が低くなる傾向があるということである。また、固い、柔らかい、以外の、浅いタッチ、深いタッチ、という感触の調節はできないことである。
【００１８】
本発明は、上記した問題点を解決した木管楽器用パッド及び感触調節法を提供することを目的とする。
【００１９】
【課題を解決するための手段】
第１の発明は、裏面を木管楽器のカップの内面に装着し表面でトーンホールを開閉するためのパッドにおいて、中央には穴が形成されフラットな表面の外周部分にはトーンホールよりも大きな内径を有する立ち上がり壁部が形成され表面の立ち上がり壁部の内側には立ち上がり壁部の内径と同じ外径とトーンホールよりも小さい内径とを有する輪状凹部が形成されフラットな裏面の内周部分には輪状凸部が形成された円盤型の金属ベースと、中央には金属ベースの穴と同じ直径の穴が形成され外径は立ち上がり壁部の内径とほぼ等しく裏面は金属ベースの表面を覆って密着し輪状凹部に空間部を形成するよう金属ベースの内側に挿入された弾性を有するフラットな円盤型の樹脂板と、中央には樹脂板の穴と同じ直径の穴が形成され外径は立ち上がり壁部の内径とほぼ等しく裏面は樹脂板の表面に密着して金属ベースの内側に挿入された円盤型のフェルト状繊維体と、中央には輪状凸部の外径と同じ内径の穴が形成され外径は金属ベースの外径とほぼ等しく表面は穴を輪状凸部に固定した状態で金属ベースの裏面に密着された円盤型の台紙と、中央には繊維体の穴とほぼ同じ直径の穴が形成され繊維体と樹脂板と金属ベースと台紙とが一体となったものを表面から包み込んで張力を平均に保って台紙の裏面に糊付けされたパッドスキンとから構成され、前記立ち上がり壁部は樹脂板と繊維体の形状を安定させ、前記金属ベースが基礎となってパッドの形状を保持し、前記樹脂板はトーンホール密閉時の衝撃を吸収してトーンホール上面の形に合わせて変形し、前記輪状凹部の空間部は逃げ空間として樹脂板の変形を許容し、前記繊維体は樹脂板の弾性によってトーンホール上面に押し付けられたパッドスキンとの密閉を完全なものとし、前記輪状凸部は台紙のセンターを正位置で維持し、前記パッドスキンは包み込んでいる繊維体表面と立ち上がり壁部外周側面と貼り付けられている台紙裏面によって一定の形を保持して張力を平均に保つことを特徴とする木管楽器用パッドに関するものである。
【００２０】
第２の発明は、裏面を木管楽器のカップの内面に装着し表面でトーンホールを開閉するためのパッドにおいて、中央には穴が形成されフラットな表面の外周部分にはトーンホールよりも大きな内径を有し下部の内径よりも上部の内径が小さくなるよう内側に傾斜角度が付いた立ち上がり壁部が形成され表面の立ち上がり壁部の内側には立ち上がり壁部の内径と同じ外径とトーンホールよりも小さい内径とを有する輪状凹部が形成されフラットな裏面の内周部分には輪状凸部が形成された円盤型の金属ベースと、中央には金属ベースの穴と同じ直径の穴が形成され外径は立ち上がり壁部の内径とほぼ等しく裏面は金属ベースの表面を覆って密着し輪状凹部に空間部を形成するよう金属ベースの内側に挿入された弾性を有するフラットな円盤型の樹脂板と、中央には樹脂板の穴と同じ直径の穴が形成され外径は立ち上がり壁部の内径とほぼ等しく裏面は樹脂板の表面に密着して金属ベースの内側に挿入された円盤型のフェルト状繊維体と、中央には輪状凸部の外径と同じ内径の穴が形成され外径は金属ベースの外径とほぼ等しく表面は穴を輪状凸部に固定した状態で金属ベースの裏面に密着された円盤型の台紙と、中央には繊維体の穴とほぼ同じ直径の穴が形成され繊維体と樹脂板と金属ベースと台紙とが一体となったものを表面から包み込んで張力を平均に保って台紙の裏面に糊付けされたパッドスキンとから構成され、前記立ち上がり壁部は傾斜角度が付いた内側によりホールドする形で樹脂板と繊維体の形状を安定させると共に樹脂板と繊維体の浮き上がりを防止し、前記金属ベースが基礎となってパッドの形状を保持し、前記樹脂板はトーンホール密閉時の衝撃を吸収してトーンホール上面の形に合わせて変形し、前記輪状凹部の空間部は逃げ空間として樹脂板の変形を許容し、前記繊維体は樹脂板の弾性によってトーンホール上面に押し付けられたパッドスキンとの密閉を完全なものとし、前記輪状凸部は台紙のセンターを正位置で維持し、前記パッドスキンは包み込んでいる繊維体表面と立ち上がり壁部外周側面と貼り付けられている台紙裏面によって一定の形を保持して張力を平均に保つことを特徴とする木管楽器用パッドに関するものである。
【００２１】
第３の発明は、金属ベースのフラットな表面の内周部分に輪状小突起を有して、パッドのカップ装着時に前記輪状小突起でパッドワッシャー裏面にパッドの表面の内周部分を圧迫することによって空気の漏出をカットできることを特徴とする請求項１又は２の発明記載の木管楽器用パッドに関するものである。
【００２２】
第４の発明は、上記第１、第２又は第３の発明記載の木管楽器用パッドにおいて、指に伝わるタッチの感触を固くするには輪状凹部の幅を狭く形成することにより樹脂板のたわむ幅を短くして弾力をハードにし、指に伝わるタッチの感触を柔らかくするには輪状凹部の幅を広く形成することにより樹脂板のたわむ幅を長くして弾力をソフトにし、指に伝わるタッチの感触を浅くするには輪状凹部の深さを浅く形成することにより樹脂板の空間部への逃げ込みを浅くし、指に伝わるタッチの感触を深くするには輪状凹部の深さを深く形成することにより樹脂板の空間部への逃げ込みを深くし、以上のことを特徴とする感触調節法に関するものである。
【００２３】
上記した木管楽器用パッドのカップへの基本的な装着方法は従来のパッドと同じである（図１、図２参照）。
【００２４】
トーンホールに歪みがあっても、パッドの表面が弾力的に変形して隙間をつくらず、完璧に密閉できる（図２参照）。
【００２５】
カップがテコの支点を中心として円運動をし、トーンホールの上面とパッドの表面が平行でない状態で接触しても、パッドの表面が弾力的に変形してトーンホールの上面に密着して隙間をつくらず、完璧に密閉できる。また、フェルトが薄い構造なので、円運動による密着性に支障がでるほどパッドの厚みに変化はない。
【００２６】
パッドの厚さは従来と変らないが、繊維体はパッド内部を構成する３層構造の一部分である上層だけを占める程度の薄さの構造体となるため、湿気の影響で密閉性に影響がでることはない。また、薄いので、物理的圧力に対する繊維体の変形は小さく、密閉性に影響がでることはない。繊維体は樹脂板と一体となって衝撃を吸収し変形するのでダメージが少ない。内側に傾く傾斜を有する立ち上がり壁部は、ホールドする形で繊維体と樹脂板の外周端部の浮き上がり及び変形を防止する。
【００２７】
繊維体と樹脂板で密着性と弾力性を分担しているので、激しく強いタッチを必要とせず、軽いタッチでトーンホールを確実に密閉できる。吹奏に用いる指の力が小さくて済む。軽いタッチで済むことと、樹脂板がトーンホールとの衝撃を吸収するため、衝突ノイズがない。また、軽いタッチでトーンホールを密閉できるため、指で直接密閉している感覚を得ることができる（図２参照）。
【００２８】
金属ベースに形成した輪状小突起が樹脂板を圧迫し、樹脂板がパッドスキンを圧迫し、パッドのカップ装着時に前記輪状小突起でパッドワッシャー裏面にパッドの表面の内周部分を圧迫することによって空気の漏出をカットする（図１、図２参照）。
【００２９】
輪状凸部は台紙のセンターを正位置で維持し、前記パッドスキンは包み込んでいる繊維体表面と立ち上がり壁部外周側面と貼り付けられている台紙裏面によって一定の形を保持して張力を平均に保ち、パッドの形を保つことができる。
【００３０】
金属ベースが硬いので、パッドワッシャーの圧力はパッド全体に加わりカップ内面全面を均一に圧迫した状態でカップに装着される（図１参照）。装着の圧力によるパッドの変形はないので、隙間なしにトーンホールを密閉することができる。
【００３１】
パッドでトーンホールを完璧に密閉し、空気の漏出がないので、正確な音色で吹奏することができる。
【００３２】
樹脂板がトーンホールの形に応じて変形するので、調整紙による熟練の微調整作業が不要である。どんな歪み方をしたトーンホールでも密閉することができる。誰でもパッドをカップにネジ止めするだけの作業で装着ができる。微調整作業なしに常時正確な音色がだせる。長期使用により消耗を来した場合は新しいパッドに交換するだけで簡単に済む。
【００３３】
吹奏者の好みに応じて、輪状凹部の幅を狭く形成して樹脂板のたわむ幅を短くし固いタッチにしたり、輪状凹部の幅を広く形成して樹脂板のたわむ幅を長くし柔らかいタッチにしたり、輪状凹部の深さを浅くして浅いタッチにしたり、輪状凹部の深さを深くして深いタッチにしたり、タッチの感触を調節できる。
【００３４】
【実施例】
添付図面に基づいて本発明の実施例を説明するが、下記実施例にのみ限定されるべきものでないことは云うまでもない。
【００３５】
図中８は、中央には装着用の穴４が形成され、フラットな表面の外周部分にはトーンホール２よりも大きな内径を有し下部の内径よりも上部の内径が小さくなるよう内側に傾斜角度が付いた立ち上がり壁部５が形成され、表面の立ち上がり壁部５の内側には立ち上がり壁部５の内径と同じ外径とトーンホール２よりも小さい内径とを有する輪状凹部６が形成され、フラットな裏面の内周部分には輪状凸部７が形成されている円盤型の金属ベースである。金属ベース８は硬質で変形しない。金属ベース８の表面の内側には樹脂板１０と繊維体１１が挿入される。立ち上がり壁部５の内側の傾斜により、樹脂板１０と繊維体１１の浮き上がりは防止される。本実施例の輪状凹部６は、内側が浅く外側が深い傾斜を有するが、これは樹脂板１０がたわみやすいためである。
【００３６】
図中１０は、中央には金属ベース８の穴４と同じ直径の装着用の穴４が形成され、外径は立ち上がり壁部５の内径とほぼ等しく、裏面は金属ベース８の表面を覆って密着し輪状凹部６に空間部９を形成するよう金属ベース８の内側に挿入された、弾性を有するフラットな円盤型の樹脂板である。樹脂板１０は、トーンホール２の形に応じて変形し、空間部９側にたわみ、衝撃を吸収し、圧力がなくなれば復元する。たとえば、右側が引っ込み左側が出っ張る形に歪んだ図２に示すトーンホール２の場合も、対応して完全に密閉している。本実施例ではシリコン樹脂を用いている。
【００３７】
図中１１は、中央には樹脂板１０の穴４と同じ直径の装着用の穴４が形成され、外径は立ち上がり壁部５の内径とほぼ等しく、裏面は樹脂板１０の表面に密着して金属ベース８の内側に挿入された、円盤型のフェルト状繊維体である。繊維体１１は、薄いためトーンホール２の圧力に対して僅かに変形し、さらに圧力が加わると樹脂板１０と一体となってしなり、圧力がなくなれば復元する。繊維体１１は樹胆板１０の弾力によってトーンホール２に強く密着するため密閉性が高まる。
【００３８】
図中１２は、中央には金属ベース８裏面の輪状凸部７の外径と同じ内径の穴４が形成され、外径は金属ベース８の外径とほぼ等しく、表面は穴４を輪状凸部７に固定した状態で金属ベース８の裏面に密着する、円盤型の台紙である。台紙１２の働きは、パッドスキン１３を貼り付けた状態でセンターを保ち、張力を平均化させ、パッド３の密閉性を平均に保たせることである。
【００３９】
図中１３は、中央には繊維体１１の穴４とほぼ同じ直径の穴４が形成され、繊維体１１と樹脂板１０と金属ベース８と台紙１２を重ねたものを表面から包み込み、張力を平均に保って台紙１２の裏面に糊付けされる、パッドスキンである。パッドスキン１３は、直接トーンホール２に密着する部分である。繊維体１１表面と金属ベース８外周側面と台紙１２裏面により基本的形状が固定されているので、パッドスキン１３は形崩れしない。
【００４０】
パッド３の基本的な装着は、図１及び図２に示すように、パッド３の穴４にパッドナット１６を挿入し、パッド３の表面にパッドワッシャー１５を被せ、最後にパッド止めネジ１７で固定する。カップ１内面の凹凸は紙や樹脂等で平行にならしてあるが、調整紙による微調整は不要である。
【００４１】
図中１４は、金属ベース８のフラットな表面の内周部分に形成された輪状小突起である。輪状小突起１４は、樹脂板１０と繊維体１１の内周部分をパッドスキン１３側へ圧迫する。パッド３をカップ１に装着すると、パッドワッシャー１５裏面にパッド３の表面の内周部分が強力に圧迫されて、空気の漏出がカットされる。
【００４２】
図７に示した、金属ベース８の輪状凹部の形状は、吹奏者の指に伝わるタッチの感触を微妙に変える。吹奏者の好みに応じて、感触を固くするには輪状凹部６の幅を狭く形成することにより樹脂板１０のたわむ幅を短くして弾力をハードにし、柔らかくするには輪状凹部６の幅を広く形成することにより樹脂板１０のたわむ幅を長くして弾力をソフトにし、感触を浅くするには輪状凹部６の深さを浅く形成することにより樹脂板１０の空間部９へ逃げ込める範囲を浅くし、タッチの感触を深くするには輪状凹部６の深さを深く形成することにより樹脂板１０の空間部９へ逃げ込める範囲を深くする。
【００４３】
【発明の効果】
以上説明した本発明に係る木管楽器用パッド及び感触調節法によれば、次のような効果を奏する。
【００４４】
上記した木管楽器用パッドは、トーンホールに歪みがあっても、弾力的に変形して隙間をつくらず、完璧に密閉できる。
【００４５】
カップがテコの支点を中心として円運動をし、トーンホールの上面とパッドの表面が平行でない状態で接触しても、パッドの表面が弾力的に変形してトーンホールの上面に密着して隙間をつくらず、完璧に密閉できる。また、フェルトが薄い構造なので、円運動による密着性に支障がでるほどパッドの厚みに変化はない。
【００４６】
パッドの厚さは従来と変らないが、繊維体はパッド内部を構成する３層構造の一部分である上層だけを占める程度の薄さの構造体であるため、湿気の影響で密閉性に影響がでることはない。また、薄いので、物理的圧力に対する繊維体の変形は小さく、密閉性に影響がでることはない。繊維体は樹脂板と一体となって衝撃を吸収し変形するのでダメージが少ない。内側に傾く傾斜を有する立ち上がり壁部の場合、ホールドする形で繊維体と樹脂板の外周端部の浮き上がりを防止する。
【００４７】
繊維体と樹脂板で密着性と弾力性を分担しているので、激しく強いタッチを必要とせず、軽いタッチでトーンホールを確実に密閉できる。吹奏に用いる指の力が小さくて済む。軽いタッチで済むことと、樹脂板がトーンホールとの衝撃を吸収するため、衝突ノイズがない。また、軽いタッチでトーンホールを密閉できるため、指で直接密閉している感覚を得ることができる。
【００４８】
金属ベースに形成した輪状小突起が樹脂板を圧迫し、樹脂板がパッドスキンを圧迫し、パッドのカップ装着時に前記輪状小突起でパッドワッシャー裏面にパッドの表面の内周部分を圧迫することによって空気の漏出をカットする。
【００４９】
輪状凸部は台紙のセンターを正位置で維持し、前記パッドスキンは包み込んでいる繊維体表面と立ち上がり壁部外周側面と貼り付けられている台紙表面によって一定の形を保持して張力を平均に保ち、パッドの形を保つことができる。
【００５０】
金属ベースが硬く、パッドワッシャーの圧力による変形がなく、パッドの形が維持されるため、トーンホールを隙間なく密閉することができる。
【００５１】
パッドでトーンホールを完璧に密閉し、空気が漏出しないので、正確な音色で吹奏することができる。
【００５２】
樹脂板がトーンホールの形に応して変形するので、熟練の微調整作業が不要である。どんな歪み方をしたトーンホールでも密閉することができる。誰でもパッドをカップにネジ止めするたけの作業で装着ができる。微調整作業なしに常時正確な音色がだせる。長期使用により消耗を来した場合は新しいパッドに交換するだけで済む。
【００５３】
吹奏者の好みに応じて、輪状凹部の幅を狭く形成して樹脂板のたわむ幅を短くし固いタッチにしたり、輪状凹部の幅を広く形成して樹脂板のたわむ幅を長くし柔らかいタッチにしたり、輪状凹部の深さを浅くして浅いタッチにしたり、輪状凹部の深さを深くして深いタッチにしたり、タッチの感触を調節できる。
【図面の簡単な説明】
【図１】カップに装着された本発明に係るパッドとトーンホールの断面図。
【図２】カップに装着された本発明に係るパッドで歪んたトーンホールを密閉した状態をあらわす断面図。
【図３】本発明に係るパッドの正面図。
【図４】本発明に係るパッドの断面図。
【図５】本発明に係るパッドの平面図。
【図６】本発明に係るパッドの底面図。
【図７】金属ベースの断面図。
【図８】金属ベースの平面図。
【図９】金属ベースの底面図。
【図１０】樹脂板の断面図。
【図１１】繊維体の断面図。
【図１２】台紙の断面図。
【図１３】パッドスキンの正面図。
【図１４】従来のパッドの断面図。
【図１５】カップに装着された従来のパッドの断面図。
【符号の説明】
１  カップ
２  トーンホール
３  パッド
４  穴
５  立ち上がり壁部
６  輪状凹部
７  輪状凸部
８  金属ベース
９  空間部
１０  樹脂板
１１  繊維体
１２  台紙
１３  パッドスキン
１４  輪状小突起
１５  パッドワッシャー
【図１】
0003969893.tif 000002
【図２】
0003969893.tif 000003
【図３】
0003969893.tif 000004
【図４】
0003969893.tif 000005
【図５】
0003969893.tif 000006
【図６】
0003969893.tif 000007
【図７】
0003969893.tif 000008
【図８】
0003969893.tif 000009
【図９】
0003969893.tif 000010
【図１０】
0003969893.tif 000011
【図１１】
0003969893.tif 000012
【図１２】
0003969893.tif 000013
【図１３】
0003969893.tif 000014
【図１４】
0003969893.tif 000015
【図１５】
0003969893.tif 000016